(57)【要約】    【課題】  棚板を上向き支持し、前後水平方向移動を防ぎ、更に跳ね上がりを防いで、地震による揺れ等により跳ね上がって脱落することを防止することができる棚板保持体の提供。    【解決手段】  棚板Ｊを上向きに支持する支持部Ｂと棚板Ｊの前方移動を防ぐ水平動防止部Ｃを有する支持部材Ａと、棚板Ｊの上側で跳ね上がりを防ぐ跳上防止部Ｐ２を有する跳上防止部材Ｐを備える。跳上防止部材Ｐは水平動防止部Ｃに対し上方から下方に案内され、棚板Ｊの跳ね上がりを防ぐ上下方向所定位置に達した状態において、水平動防止部Ｃに対し跳上防止部材Ｐの上下方向位置を保持し上方移動を防ぐ。【選択図】      図４
2009291494.tif 000002
【特許請求の範囲】
【請求項１】
棚板を主として上向きに支持するための支持部と、
支持部により支持された棚板が前方及び後方のうち一方へ水平方向移動することを防ぐための、支持部よりも上方に立ち上げられた水平動防止部を有してなる支持部材と、
支持部材の支持部により支持された棚板の上側に位置して跳ね上がりを防ぐための跳上防止部を有する跳上防止部材を備えてなり、
前記跳上防止部材は、前記水平動防止部に対し着脱可能に結合されていることを特徴とする棚板保持体。
【請求項２】
上記跳上防止部材を上記水平動防止部に対し上下方向に案内する上下方向案内機構と、
前記上下方向案内機構により跳上防止部材が水平動防止部に対し上方から下方に案内されて、棚板の跳ね上がりを防ぐための上下方向所定位置に達した状態において、水平動防止部に対し跳上防止部材の上下方向位置を保持し上方移動を防ぐストッパ機構を有する請求項１記載の棚板保持体。
【請求項３】
上下方向案内機構により水平動防止部に対し上下方向に案内された状態の跳上防止部材を、上記上下方向所定位置よりも下方の１又は２以上の位置において、水平動防止部に対し上下方向位置を保持させ得る上下方向保持機構を有する請求項２記載の棚板保持体。
【請求項４】
上下方向案内機構が、上下方向に伸びる溝状部又は突条部と、その溝状部又は突条部に嵌合保持された状態で上下方向に摺動し得る嵌合摺動部からなり、
上下方向案内機構により水平動防止部に対し上下方向に案内された状態の跳上防止部材が、前記溝状部又は突条部に対する嵌合摺動部の嵌合保持を水平方向に解除して前記水平動防止部に対し水平方向に離脱し得るものである請求項２又は３記載の棚板保持体。
【請求項５】
上記支持部材に、保持対象物に形成された嵌合穴に嵌合保持させるための嵌合棒状部が突設されている請求項１乃至４の何れか１項に記載の棚板保持体。
【請求項６】
上記支持部材が外方張出部を有し、
前記外方張出部は、上記嵌合棒状部を嵌合穴に嵌合保持させて上記支持部により支持対象物を支持した状態において、嵌合穴を有する保持対象物と、支持部により支持した支持対象物の間に挟まれることにより、嵌合穴からの嵌合棒状部の脱落が防がれ得るものである請求項１乃至５の何れか１項に記載の棚板保持体。
【発明の詳細な説明】
【技術分野】
【０００１】
本発明は、棚板を主として上向きに支持するための支持部を有する棚板保持体に関する。
【背景技術】
【０００２】
ダボ付棚受具としては、図１１に示すような、大径円柱状の支持部ａ１の基端面から、小径円柱状のダボ部ａ２が同軸状に突出してなる棚受具ａが一般的に用いられている。この棚受具ａは、棚の垂直側板ｂに形成された嵌合穴ｃにダボ部ａ２を嵌合させて固定した状態で、支持部ａ１により棚板ｄを上向きに支持するものである。
【０００３】
この種のダボ付棚受具により例えば四隅付近を支持された棚板は、地震等により揺れた場合に跳ね上がって脱落する恐れがある。
【０００４】
合成樹脂にて一体に形成されたダボ付棚受具として、特開平８−１２６５３０号公報（特許文献１）に、略Ｌ型の受具本体１の一片２に固定用孔３を形成し、同他片４の裏面にダボ片５を突設し、該ダボ片５の中心を貫通する透孔６を同他片４に貫通形成してなるものが開示されている。
【０００５】
このダボ付棚受具は、前方に開口した箱型の収納棚10の両側板11の内面に取着固定され、その上に可動棚板12或いは固定棚板13の外側縁が載置されて該棚板12、13を支持する。ダボ付棚受具は収納棚10の両側板11の前後に各々取着固定され、棚板12、13の両側縁を前後において支持している。
【０００６】
このダボ付棚受具は、側板11の内面に形成されるダボ穴14にダボ片５が挿入嵌合されて取着固定され、受具本体１の一片２上に載置された可動棚板12を、固定用孔３に挿通されるネジ、釘等の固定具15にてずれ動かないよう確実強固に固定することができる。従って、地震等により揺れた場合においても、棚板が跳ね上がって脱落する恐れが低い。
【０００７】
しかしながら、棚板の跳ね上がりを防ぐには、ネジ、釘等の固定具15により可動棚板12を固定する必要があったため、そのための労力を要する。また、棚板の材料が例えばガラス、金属、その他のねじや釘を用いることができない材料である場合、棚板の固定を行うことができなかった。
【特許文献１】特開平８−１２６５３０号公報
【発明の開示】
【発明が解決しようとする課題】
【０００８】
本発明は、従来技術に存した上記のような課題に鑑み行われたものであって、その目的とするところは、棚板を主として上向きに支持し、前方又は後方への棚板の水平方向移動を防ぎ、更に、棚板の跳ね上がりを防いで、地震による揺れ等によって棚板が跳ね上がって脱落することを防止することができる棚板保持体を提供することにある。
【課題を解決するための手段】
【０００９】
上記目的を達成する本発明の棚板保持体は、
棚板を主として上向きに支持するための支持部と、
支持部により支持された棚板が前方及び後方のうち一方へ水平方向移動することを防ぐための、支持部よりも上方に立ち上げられた水平動防止部を有してなる支持部材と、
支持部材の支持部により支持された棚板の上側に位置して跳ね上がりを防ぐための跳上防止部を有する跳上防止部材を備えてなり、
前記跳上防止部材は、前記水平動防止部に対し着脱可能に結合されていることを特徴とする。
【００１０】
棚板の隅部等において支持部材の支持部により主として上向きに支持されたその棚板は、支持部材の水平動防止部により、前方及び後方のうち一方への水平方向移動が防がれる。
【００１１】
更に、水平動防止部に対し跳上防止部材を結合させて、支持部材の支持部により支持された棚板の上側に跳上防止部を位置させることにより、その棚板の跳ね上がりが防がれ、地震による揺れ等によって棚板が跳ね上がって脱落することが防止される。
【００１２】
また本発明の棚板保持体は、
上記跳上防止部材を上記水平動防止部に対し上下方向に案内する上下方向案内機構と、
前記上下方向案内機構により跳上防止部材が水平動防止部に対し上方から下方に案内されて、棚板の跳ね上がりを防ぐための上下方向所定位置に達した状態において、水平動防止部に対し跳上防止部材の上下方向位置を保持し上方移動を防ぐストッパ機構を有するものとすることができる。
【００１３】
この場合、上下方向案内機構により水平動防止部に対し上方から下方に案内された跳上防止部材が、支持部により支持された棚板の上側に跳上防止部が位置して棚板の跳ね上がりを防ぐ上下方向所定位置に達した状態において、その跳上防止部材は、ストッパ機構により水平動防止部に対し上下方向位置が保持され上方移動が防がれる。
【００１４】
この棚板保持体は、上下方向案内機構により水平動防止部に対し上下方向に案内された状態の跳上防止部材を、上記上下方向所定位置よりも下方の１又は２以上の位置において、水平動防止部に対し上下方向に保持させ得る上下方向保持機構を有するものとすることができる。
【００１５】
この場合、上下方向案内機構により水平動防止部に対し上下方向に案内された状態の跳上防止部材を、ストッパ機構により水平動防止部に対し上下方向位置が保持され上方移動が防がれる上下方向所定位置よりも下方の１又は２以上の位置において、上下方向保持機構により、水平動防止部に対し上下方向に保持させ得る。
【００１６】
そのため、棚板の厚さなどに応じ、支持部により支持された棚板の上面の高さ位置に合わせて、水平動防止部に対する跳上防止部の高さ位置を調整して棚板の跳ね上がりを防ぐことができる。
【００１７】
また、本発明の棚板保持体は、
上下方向案内機構が、上下方向に伸びる溝状部又は突条部と、その溝状部又は突条部に嵌合保持された状態で上下方向に摺動し得る嵌合摺動部からなり、
上下方向案内機構により水平動防止部に対し上下方向に案内された状態の跳上防止部材が、前記溝状部又は突条部に対する嵌合摺動部の嵌合保持を水平方向に解除して前記水平動防止部に対し水平方向に離脱し得るものとすることができる。
【００１８】
支持部材の支持部により主として上向きに支持され、水平動防止部により、前方又は後方への水平方向移動が防がれ、更に、上下方向所定位置の跳上防止部材により跳ね上がりが防がれた状態の棚板を、取り外したり棚板の位置を変更するには、跳上防止部材を水平動防止部から取り外すこととなる。
【００１９】
その場合、上下方向案内機構に案内された状態の跳上防止部材を上方に取り外そうとすると、ストッパ機構により上方移動が防がれるため、取り外しは困難である。
【００２０】
しかしながら、溝状部又は突条部に対する嵌合摺動部の嵌合保持を水平方向に解除することにより、水平動防止部に対し跳上防止部材を水平方向に離脱させれば、比較的容易に取り外すことができる。而も、棚板の前方又は後方への水平方向移動は水平動防止部により防がれ、跳ね上がりはストッパ機構により上方移動が防がれた跳上防止部材により防止されるので、棚板は棚板保持体により保持される。
【００２１】
また本発明の棚板保持体は、上記支持部材に、保持対象物に形成された嵌合穴に嵌合保持させるための嵌合棒状部が突設されているものとすることができる。
【００２２】
このダボ付支持材は、棚の垂直側板等の保持対象物に形成された嵌合穴に、嵌合棒状部を嵌合保持させることにより使用することができる。
【００２３】
また本発明の棚板保持体は、
上記支持部材が外方張出部を有し、
前記外方張出部は、上記嵌合棒状部を嵌合穴に嵌合保持させて上記支持部により支持対象物を支持した状態において、嵌合穴を有する保持対象物と、支持部により支持した支持対象物の間に挟まれることにより、嵌合穴からの嵌合棒状部の脱落が防がれ得るものとすることができる。
【００２４】
この場合、支持部材の外方張出部は、嵌合棒状部を嵌合穴に嵌合保持させて前記支持部により支持対象物を支持した状態において、嵌合穴を有する保持対象物と、支持部により支持した支持対象物の間に挟まれる。これにより、嵌合穴からの嵌合棒状部の脱落が防がれ得る。
【発明の効果】
【００２５】
本発明の棚板保持体によれば、棚板の隅部等において支持部材の支持部により主として上向きに棚板を支持し、支持部材の水平動防止部により、前方又は後方への棚板の水平方向移動を防ぎ、跳上防止部材により棚板の跳ね上がりを防いで、地震による揺れ等によって棚板が跳ね上がって脱落することを防止することができる。
【発明を実施するための最良の形態】
【００２６】
本発明の実施の形態を、図面を参照しつつ説明する。
【００２７】
図１乃至図１０は何れも本発明の実施の形態の一例としての棚板保持体に関する。
【００２８】
(1) 図１乃至図６は棚板保持体についてのものであって、図１は正面図、図２は平面図、図３は右側面図（跳上防止部が支持部材に対し未結合状態）、図４は左側面図、図５は背面図、図６は底面図である。
【００２９】
図７は支持部材の正面図、図８は支持部材の平面図、図９は跳上防止部材の背面図、図１０は跳上防止部材の底面図である。
【００３０】
棚板保持体Ｚは、支持部Ｂと水平動防止部Ｃと脱落防止板部Ｄを備える支持部材Ａと、跳上防止部材Ｐからなり、それらは何れも高密度ポリエチレン樹脂（これに限るものではなく、例えばポリプロピレン樹脂、ポリアミド樹脂等を適宜使用し得る）により一体成形されてなるものである。
【００３１】
支持部Ｂは、水平支持板部Ｂ１と、支承部Ｂ２と、嵌合棒状部Ｂ３と、補強板部Ｂ４からなる。
【００３２】
水平支持板部Ｂ１は、棚板Ｊを主として上向きに支持するためのものであり、長辺が前後方向である長方形板状をなす。
【００３３】
支承部Ｂ２は、水平支持板部Ｂ１を前後方向中程の下側から支承するものであり、軸方向が左右水平方向の円柱形状をなす。
【００３４】
補強板部Ｂ４は、支承部Ｂ２の左右中央位置から前後に延びて上向きの垂直三角形板状をなし、水平支持板部Ｂ１の底部を全長にわたり補強支持するものである。
【００３５】
嵌合棒状部Ｂ３は、支承部Ｂ２から軸方向一方側（基端側）へ支承部Ｂ２と同軸状に突設された中実の円柱形状をなす。なお、支持部材Ａの支持部Ｂは、正面視において嵌合棒状部Ｂ３が右方側へ突設されたものと左方側へ突設されたものがある。
【００３６】
支承部Ｂ２は、嵌合棒状部Ｂ３の軸方向他方側（先端側）に延長した位置に、先端側に開口し、嵌合棒状部Ｂ３と同軸状をなす円柱形状の軸方向穴Ｂ２ａを有する。更に支承部Ｂ２は、嵌合棒状部Ｂ３の先端側部分の外周部を囲繞して基端側に開口する、嵌合棒状部Ｂ３と同軸状をなし周方向断面が一定の円環状溝部Ｂ２ｂを有する。円環状溝部Ｂ２ｂと軸方向穴Ｂ２ａの軸方向位置は所定の軸方向距離を隔てている。
【００３７】
水平動防止部Ｃは、垂直立上板部Ｃ１と、上下方向に伸びる垂直方向突条部Ｃ２からなる。垂直立上板部Ｃ１は、水平支持板部Ｂ１の前端（必ずしも前端に限らない）から垂直上方に立ち上がることにより、支持部Ｂの水平支持板部Ｂ１により支持された棚板Ｊが前方へ水平方向移動することを防ぐ。垂直方向突条部Ｃ２は、垂直立上板部Ｃ１の前面に上下にわたり設けられ、その各水平断面において、垂直立上板部Ｃ１の前面から前方に立ち上がった基部Ｃ２ａと、基部Ｃ２ａの前部から左右に拡開した拡開部Ｃ２ｂからなる。基部Ｃ２ａの下部における上下方向の１箇所（１箇所に限らない）には、両側方に突起する側方突起部Ｃ２ｃを有する。
【００３８】
脱落防止板部Ｄは、支持部材Ａのうち嵌合棒状部Ｂ３が突設された側において、底辺が水平支持板部Ｂ１に、前垂直辺が垂直立上板部Ｃ１に接合した状態の、嵌合棒状部Ｂ３に対し直交状の三角形垂直板状をなす（この形状に限らない）。
【００３９】
跳上防止部材Ｐは、上下方向に伸びる垂直方向不連続溝状部Ｐ１と、その垂直方向不連続溝状部Ｐ１の上端部（必ずしも上端部に限らない）から後方に突設された方形水平板状（この形状に限らない）の跳上防止部Ｐ２からなる。垂直方向不連続溝状部Ｐ１は、上下方向全長にわたり両側が後方に突起した突壁部Ｐ１ａと、突壁部Ｐ１ａの後端から内側に上下方向不連続に折曲状に突起した折曲突起部Ｐ１ｂからなる。折曲突起部Ｐ１ｂは、互いに上下方向間隔をおいて（すなわち不連続状に）設けられた上部折曲突起部Ｐｂ１と、中下部折曲突起部Ｐｂ２と、下端折曲突起部Ｐｂ３と、中下部折曲突起部Ｐｂ２と下端折曲突起部Ｐｂ３の間の小折曲突起部Ｐｂ４からなる。
【００４０】
水平動防止部Ｃの垂直方向突条部Ｃ２と跳上防止部材Ｐの垂直方向不連続溝状部Ｐ１により、跳上防止部材Ｐを水平動防止部Ｃに対し上下方向に案内する上下方向案内機構が構成される。すなわち、水平動防止部Ｃの垂直方向突条部Ｃ２に対し、跳上防止部材Ｐの垂直方向不連続溝状部Ｐ１（嵌合摺動部）が上方から嵌合し、垂直方向突条部Ｃ２の拡開部Ｃ２ｂと、垂直方向不連続溝状部Ｐ１の突壁部Ｐ１ａ及び折曲突起部Ｐ１ｂが係合した状態となることにより、跳上防止部材Ｐが水平動防止部Ｃに対し上下方向に案内される。なお、跳上防止部材は、水平動防止部に対し、支持部により棚板を支持する位置とは逆の側に位置するものとすること（例えば、棚板が水平動防止部の後側において支持部に支持される場合は、跳上防止部材は水平動防止部の前側に位置すること）が望ましい。
【００４１】
跳上防止部材Ｐを、水平動防止部Ｃに対し上方から下方に案内された状態で下降させる）[図１(a)、図４(a)、図９(a)]ことにより、水平動防止部Ｃの側方突起部Ｃ２ｃを跳上防止部材Ｐの下端折曲突起部Ｐｂ３が下方に（すなわち垂直方向不連続溝状部Ｐ１の下端から）比較的容易に乗り越えて、側方突起部Ｃ２ｃが下端折曲突起部Ｐｂ３と小折曲突起部Ｐｂ４の間に挟まれた第１保持位置（上下方向所定位置）[図１(b)、図４(a)、図９(b)]となり、又は、更に水平動防止部Ｃの側方突起部Ｃ２ｃを跳上防止部材Ｐの小折曲突起部Ｐｂ４が乗り越えて側方突起部Ｃ２ｃが小折曲突起部Ｐｂ４と中下部折曲突起部Ｐｂ２の間に挟まれた第２保持位置[図１(c)、図４(a)、図９(c)]となって、それぞれの状態を保持し得る。図９に二点鎖線で示されているのは垂直方向突条部Ｃ２の基部Ｃ２ａである。なお、跳上防止部材Ｐが第１保持位置にある状態で、水平動防止部Ｃの側方突起部Ｃ２ｃを、下端折曲突起部Ｐｂ３がその上端部から上方に乗り越えて跳上防止部材Ｐが上方へ移動することは、下端折曲突起部Ｐｂ３の上端部が垂直方向不連続溝状部Ｐ１の上下中間位置にあるため、困難性がある。
【００４２】
支持部材Ａの水平支持板部Ｂ１により支持される棚板Ｊの厚さに応じて跳上防止部材Ｐの位置決めされる第１保持位置及びその下方の第２保持位置の各位置において、跳上防止部材Ｐの跳上防止部Ｐ２は、支持部材Ａの水平支持板部Ｂ１により支持された棚板Ｊの上側に位置して棚板Ｊの跳ね上がりを防ぐ。
【００４３】
跳上防止部材Ｐの垂直方向不連続溝状部Ｐ１における折曲突起部Ｐ１ｂ（上部折曲突起部Ｐｂ１、中下部折曲突起部Ｐｂ２、小折曲突起部Ｐｂ４、及び下端折曲突起部Ｐｂ３からなる）と水平動防止部Ｃにおける側方突起部Ｃ２ｃは、ストッパ機構を構成すると共に上下方向保持機構を構成する。すなわち、折曲突起部Ｐ１ｂと側方突起部Ｃ２ｃは、跳上防止部材Ｐが水平動防止部Ｃに対し上方から下方に案内されて棚板Ｊの跳ね上がりを防ぐ第１保持位置に達した状態において、水平動防止部Ｃに対し跳上防止部材Ｐの上下方向位置を保持し上方移動を防ぐストッパ機構を構成すると共に、水平動防止部Ｃに対し上下方向に案内された状態の跳上防止部材Ｐを、第１保持位置よりも下方の第２保持位置において上下方向に保持させ得る上下方向保持機構を構成する。なお、例えば小折曲突起部Ｐｂ４の数を２以上として上下間隔おきに配設することにより、保持位置の数を３以上とすることもできる。また、ストッパ機構としては、跳上防止部材Ｐが第１保持位置にある状態で、跳上防止部材Ｐが水平動防止部Ｃに対し上方に移動することを阻止し得るその他の種々の構成、例えば、跳上防止部材Ｐ側に上向きの鉤状又は爪状構造を有し、水平動防止部Ｃ側に、それと係合して跳上防止部材Ｐの上方移動を防ぎ得る下向きの鉤状又は爪状構造を有する構成とすることもできる。
【００４４】
水平動防止部Ｃの垂直方向突条部Ｃ２に対し跳上防止部材Ｐの垂直方向不連続溝状部Ｐ１が上下方向に案内された状態において、水平動防止部Ｃの垂直方向突条部Ｃ２に対する跳上防止部材Ｐの垂直方向不連続溝状部Ｐ１の嵌合保持を水平方向前方に解除して、跳上防止部材Ｐを水平動防止部Ｃに対し水平方向前方に離脱させることができる。折曲突起部Ｐ１ｂが、互いに上下方向間隔をおいて（すなわち不連続状に）設けられた上部折曲突起部Ｐｂ１と、中下部折曲突起部Ｐｂ２と、小折曲突起部Ｐｂ４と、下端折曲突起部Ｐｂ３からなるので、跳上防止部材Ｐを水平動防止部Ｃに対し水平方向前方に離脱させ易い。
【００４５】
なお、水平動防止部Ｃが垂直方向溝状部を有し、跳上防止部材Ｐが垂直方向突条部Ｃ２を有するものとすることや、垂直方向溝状部が上下方向連続状をなし、垂直方向突条部Ｃ２が上下方向不連続状をなすものとすることもできるが、跳上防止部材Ｐを水平動防止部Ｃに対し水平方向前方に離脱し得るものとする上では前記例が好適である。
【００４６】
(2) 横長長方形状の棚板Ｊ（支持対象物の一例）を支持するための相対する垂直側板Ｋのそれぞれ前後１箇所、合計４箇所の同一高さ位置の嵌合穴Ｌのうち、前部の２箇所にはそれぞれ支持部材Ａの嵌合棒状部Ｂ３を嵌合保持させ、後部の２箇所には別の棚受具（例えば従来の、大径円柱状の支持部の基端面から小径円柱状のダボ部が同軸状に突出してなる棚受具）或いは支持部材Ａの嵌合棒状部Ｂ３を嵌合保持させる。支持部材Ａについては、正面視において嵌合棒状部Ｂ３が右方側へ突設された支持部材Ａと左方側へ突設されたものを、嵌合保持位置に応じて選択して用いる。
【００４７】
支持部材Ａは、図１に二点鎖線で示した棚の垂直側板Ｋ（保持対象物の一例）に形成された円柱形状の嵌合穴Ｌに円柱形状の嵌合棒状部Ｂ３を嵌合保持させることにより使用する。なお、嵌合棒状部は、保持対象物に形成された嵌合穴にねじ嵌合するものとすることもできる。また、嵌合棒状部は、多角形柱状や筒状とすることもできる。
【００４８】
支持部材Ａは、脱落防止板部Ｄが垂直側板Ｋにほぼ当接し、水平支持板部Ｂ１が水平状をなし、支承部Ｂ２がその下側に位置するようにして用いる。支持部材Ａを垂直側板Ｋの前部に保持させる場合は、水平動防止部Ｃが前側に位置するようにして用いる。
【００４９】
このようにして、棚板Ｊの４隅部のうち前部の２箇所を水平支持板部Ｂ１により、後部の２箇所は別の棚受具又は水平動防止部Ｃを後側に位置させた支持部材Ａの水平支持板部Ｂ１により、それぞれ上向きに支持することになる。この状態で、水平支持板部Ｂ１は、棚板Ｊとの相互作用により水平状態となり、これを維持し得る。それにより、垂直立上板部Ｃ１は水平方向に対し垂直に立ち上がった状態となり、これが維持され得る。従って、前位置の両支持部材Ａの水平動防止部Ｃにより棚板Ｊの前方移動が防がれる。なお、例えば、嵌合棒状部Ｂ３及びそれが嵌合する嵌合穴Ｌを異形断面とすることによって、水平支持板部Ｂ１以外の構成により棚板Ｊを支持するものであっても、垂直立上板部Ｃ１の水平面に対する垂直立ち上がり状態を実現して維持し得るものとすることができる。
【００５０】
更に、少なくとも前部の２箇所の各支持部材Ａの水平動防止部Ｃの垂直方向突条部Ｃ２に対し跳上防止部材Ｐの垂直方向不連続溝状部Ｐ１を上方から下方に嵌合させ、水平動防止部Ｃに対し上下方向に案内された状態の跳上防止部材Ｐを、棚板Ｊの厚さ等に応じて第１保持位置又は第２保持位置に位置させることにより、水平支持板部Ｂ１により支持された棚板Ｊの跳ね上がりを跳上防止部Ｐ２により防ぐことができる。特に、第１保持位置から上方への跳上防止部材Ｐの移動が防がれるので、棚板Ｊの跳ね上がりを効果的に防ぐことができる。これにより、地震による揺れ等によって棚板Ｊが跳ね上がって脱落することが防止される。
【００５１】
棚板Ｊを取り外したり棚板Ｊの位置を変更するには、跳上防止部材Ｐを水平動防止部Ｃから取り外すこととなる。その場合、上下方向案内機構に案内された状態の跳上防止部材Ｐを上方に取り外そうとすると、第１保持位置から上方への跳上防止部材Ｐの移動が防がれるため、取り外しは困難である。しかしながら、水平動防止部Ｃの垂直方向突条部Ｃ２に対する跳上防止部材Ｐの垂直方向不連続溝状部Ｐ１の嵌合保持を水平方向前方に解除して水平動防止部Ｃに対し水平方向前方に離脱させることにより、比較的容易に跳上防止部材Ｐを取り外すことができる。なお、棚板Ｊの前方への水平方向移動は水平動防止部Ｃにより防がれ、跳ね上がりは跳上防止部材Ｐにより防止されるので、跳上防止部材Ｐの水平方向前方への離脱が比較的容易であることは、問題にならない。
【００５２】
また、脱落防止板部Ｄを垂直側板Ｋと棚板Ｊの側部との間に挟んだ状態で棚板Ｊを支持することにより、使用中に支持部材Ａの嵌合棒状部Ｂ３が嵌合穴Ｌから脱落することが防がれる。
【００５３】
支持部材Ａの支承部Ｂ２は、高密度ポリエチレン樹脂製であるため荷重に対し比較的に弾性的に変形し易い。而も、支承部Ｂ２は、嵌合棒状部Ｂ３を軸方向先端側に延長した位置に、嵌合棒状部Ｂ３と同軸状の円柱形状をなし、先端側に開口する軸方向穴Ｂ２ａを有すると共に、支承部Ｂ２の基端側部分に位置し、嵌合棒状部Ｂ３の先端側部分の外周部を嵌合棒状部Ｂ３と同軸状に囲繞して基端側に開口する円環状溝部Ｂ２ｂを有する。そのため、棚板Ｊを主として上向きに支持した場合に、支承部Ｂ２の先端側及び基端側が何れもほぼ上下方向に圧縮変形する。更に、嵌合棒状部Ｂ３は、嵌合穴Ｌに嵌合保持された基端側から、環状溝部により囲繞された先端側部分にわたり、下向きに撓むこととなる。よって、支持部材Ａの水平支持板部Ｂ１において棚板Ｊを支持することによる、動的な荷重を含む主として下向きの荷重が、このような変形により緩和又は分散されるので、支承部Ｂ２に載荷された荷重により嵌合棒状部Ｂ３と支承部Ｂ２との接合部付近が破断し或いは損傷することが防がれる。また、円環状溝部Ｂ２ｂの溝底の軸方向位置と軸方向穴Ｂ２ａの穴底の軸方向位置の間には所定間隔を有するので、支承部Ｂ２に過度の変形が生じることが防がれる。
【００５４】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００５５】
【図１】正面図である。
【図２】平面図である。
【図３】右側面図である。
【図４】左側面図である。
【図５】背面図である。
【図６】底面図である。
【図７】支持部材の正面図である。
【図８】支持部材の平面図である。
【図９】跳上防止部材の背面図である。
【図１０】跳上防止部材の底面図である。
【図１１】従来のダボ付棚受具の正面図である。
【符号の説明】
【００５６】
Ａ        支持部材
Ｂ        支持部
Ｂ１      水平支持板部
Ｂ２      支承部
Ｂ２ａ    軸方向穴
Ｂ２ｂ    円環状溝部
Ｂ３      嵌合棒状部
Ｂ４      補強板部
Ｃ        水平動防止部
Ｃ１      垂直立上板部
Ｃ２      垂直方向突条部
Ｃ２ａ    基部
Ｃ２ｂ    拡開部
Ｃ２ｃ    側方突起部
Ｄ        脱落防止板部
Ｊ        棚板
Ｋ        垂直側板
Ｌ        嵌合穴
Ｐ        跳上防止部材
Ｐ１      垂直方向不連続溝状部
Ｐ１ａ    突壁部
Ｐ１ｂ    折曲突起部
Ｐｂ１    上部折曲突起部
Ｐｂ２    中下部折曲突起部
Ｐｂ３    下端折曲突起部
Ｐｂ４    小折曲突起部
Ｐ２      跳上防止部
Ｚ        棚板保持体
【図１】
2009291494.tif 000003
【図２】
2009291494.tif 000004
【図３】
2009291494.tif 000005
【図４】
2009291494.tif 000006
【図５】
2009291494.tif 000007
【図６】
2009291494.tif 000008
【図７】
2009291494.tif 000009
【図８】
2009291494.tif 000010
【図９】
2009291494.tif 000011
【図１０】
2009291494.tif 000012
【図１１】
2009291494.tif 000013